(57)【要約】【課題】施工された建築用パネル間の目地の交差部において、衣服が引っかかるような段差が形成されず、美観にすぐれた建築用パネルの目地構造を提供する。【解決手段】上面３０ａが湾曲凸面とされた連通目地部材２０と、上面３０ａが湾曲凸面とされ、矩形状の建築用パネル１０の一側辺の長さに対応して形成された側辺目地部材３０とを交差させるよう、下地材２に取り付ける建築用パネル１０、１０間に配設して目地を形成した建築用パネルの目地構造であって、連通目地部材２０および側辺目地部材３０はそれぞれ、下地材２に取り付けた建築用パネル１０のパネル面の上に配される凸設部２１、３１を備えた構造とされ、目地の交差部３では、側辺目地部材３０の凸設部３１の長手方向の端部面３１ｃが、連通目地部材２０の凸設部２１の側面２１ｃに当接して隠されている【選択図】図１
2010121422.tif 000002
【特許請求の範囲】
【請求項１】
上面が湾曲凸面とされた連通目地部材と、上面が湾曲凸面とされ、矩形状の建築用パネルの一側辺の長さに対応して形成された側辺目地部材とを交差させるよう、下地材に取り付ける上記建築用パネル間に配設して目地を形成した建築用パネルの目地構造であって、
上記連通目地部材および上記側辺目地部材はそれぞれ、上記下地材に取り付けた上記建築用パネルのパネル面の上に配される凸設部を備えた構造とされ、
目地の交差部では、上記側辺目地部材の凸設部の長手方向の端部面が、上記連通目地部材の凸設部の側面に当接して隠されていることを特徴とする建築用パネルの目地構造。
【請求項２】
請求項１において、
上記建築用パネル間には、目地受け部材が上記下地材に固着、配設されており、
上記連通目地部材および上記側辺目地部材はそれぞれ、上記凸設部から下方に延びた、上記建築用パネル間に配される本体部と、該本体部からさらに下方に延びた上記脚部とを備えた構造とされ、該脚部が上記目地受け部材に嵌合されている建築用パネルの目地構造。
【請求項３】
請求項１または２において、
上記連通目地部材および上記側辺目地部材のそれぞれの凸設部には、幅方向両側に突出する庇部が形成されている建築用パネルの目地構造。
【請求項４】
請求項１〜３のいずれか１項において、
上記側辺目地部材の凸設部の長手方向の端部面および上記連通目地部材の凸設部の側面は、上記建築用パネルの表面に対して略垂直に立ち上がった平坦面に形成されている建築用パネルの目地構造。
【発明の詳細な説明】
【技術分野】
【０００１】
本発明は、壁面や天井などへ取付固定される複数の建築用パネルのパネル間に目地部材を装着させてなる、建築用パネルの目地構造に関するものである。
【背景技術】
【０００２】
近年、壁面や天井などへの建築用パネルの取付施工において、隣接する建築用パネル間に乾式の目地部材を装着して目地を構成する手法が実施されている。この種の方法では、矩形状の建築用パネルを格子状に配設する場合、パネル間の縦横に走る目地が交差する交差部を考慮して、縦、横いずれか一方の目地部材として、パネルの側辺長さに対応させて同長さのものを使用し、他方の目地部材として、複数のパネルにまたがる長手のものを使用することが一般的に行われている。
【０００３】
したがって、このように２種の目地部材を配設すれば、目地の交差部には、特許文献１に示された図１４のごとく、複数のパネルに沿って連通する長手の目地部材が表面に表われる。
【０００４】
これら２種の目地部材は、長さ以外の寸法、形状および素材は同一とされることが通例であり、そうであるからこそ、縦目地、横目地、交差部において見た目に差異がなく、統一性のとれた美観を表出することができる。また、これらの目地部材は一般的に、丸みのある外観を得るために、露出される上面がアール状など湾曲凸面に形成されている。
【特許文献１】特開平０７−０７６８８９号公報
【発明の開示】
【発明が解決しようとする課題】
【０００５】
しかしながら、２種の目地部材が、上面を湾曲凸面とされ、なおかつ、その横断面が同一寸法、形状の目地部材を使用すれば、交差部において、湾曲凸面によるわずかな段差を生じる。
【０００６】
すなわち、図５（ａ）の斜視図に示すように、交差部１０１を形成する一方の目地部材１０２（複数のパネル１１０、１１０に沿って連通する目地部材）の側面に当接する他方の目地部材１０３、１０３（パネルの側辺に対応した目地部材）の長手方向の端部１０３ａ、１０３ａの湾曲凸面の上端が、交差部１０１の側端１０１ａ、１０１ａよりも突出するため、交差部１０１では、図５（ｂ）に示した拡大概略断面図のごとく、目地部材１０３、１０３の端部面１０３ｂ、１０３ｂの一部が露出された、いびつな形状の谷部が形成されて美観を著しく悪くしてしまう。そればかりでなく、肌触りも悪くなり、衣服などが引っかかりやすくなるという問題もある。
【０００７】
本発明は、このような事情を考慮して提案されたもので、その目的は、施工された建築用パネル間の目地の交差部において、衣服が引っかかるような段差が形成されず、美観にすぐれた建築用パネルの目地構造を提供することにある。
【課題を解決するための手段】
【０００８】
上記目的を達成するために、請求項１に記載の建築用パネルの目地構造は、上面が湾曲凸面とされた連通目地部材と、上面が湾曲凸面とされ、矩形状の建築用パネルの一側辺の長さに対応して形成された側辺目地部材とを交差させるよう、下地材に取り付ける建築用パネル間に配設して目地を形成した建築用パネルの目地構造であって、連通目地部材および側辺目地部材はそれぞれ、下地材に取り付けた建築用パネルのパネル面の上に配される凸設部を備えた構造とされ、目地の交差部では、側辺目地部材の凸設部の長手方向の端部面が、連通目地部材の凸設部の側面に当接して隠されていることを特徴とする。
【０００９】
ここで、連通目地部材とは、建築用パネルの一側辺に対応した長さの側辺目地部材に対して、隣り合って連設される複数の建築用パネルに沿って連通する目地部材をいう。よって、目地における交差部は、この連通目地部材によって形成される。
【００１０】
請求項２に記載の建築用パネルの目地構造では、建築用パネル間には目地受け部材が下地材に固着、配設されており、連通目地部材および側辺目地部材はそれぞれ、凸設部から下方に延びた、上記建築用パネル間に配される本体部と、その本体部からさらに下方に延びた脚部とを備えた構造とされ、その脚部が目地受け部材に嵌合されている。
【００１１】
請求項３に記載の建築用パネルの目地構造では、連通目地部材および側辺目地部材のそれぞれの凸設部に幅方向両側に突出する庇部が形成されている。
【００１２】
請求項４に記載の建築用パネルの目地構造では、側辺目地部材の凸設部の長手方向の端部面および連通目地部材の凸設部の側面は、建築用パネルの表面に対して略垂直に立ち上がった平坦面に形成されている。
【発明の効果】
【００１３】
請求項１に記載の建築用パネルの目地構造によれば、側辺目地部材の凸設部の長手方向の端部面が連通目地部材の凸設部の側面に当接して隠されるようにした構造であるため、交差部を挟んで突き合わせた側辺目地部材の端部が交差部より突出することはない。そのため、交差部では連通目地部材の湾曲凸面が側辺目地部材の端部にじゃまされることなく表われ、丸みを帯びた外観を表現でき、また衣服が引っかかることもなくきわめて安全である。
【００１４】
請求項２に記載の建築用パネルの目地構造によれば、連通目地部材、側辺目地部材の各脚部を、下地材に固着、配設した目地受け部材に嵌合した構成であるため、目地部材の取付位置が定まり、取付作業が容易に行え、外観納まりもより良好となる。また、脚部を嵌合させる構造であるため、強固に固定できる。
【００１５】
請求項３に記載の建築用パネルの目地構造によれば、連通目地部材、側辺目地部材の各凸設部には庇部が形成されているため、パネルと目地部材との間にわずかな隙間ができた場合でも、それを覆い隠すことができ、さらに美観がよくなる。
【００１６】
請求項４に記載の建築用パネルの目地構造によれば、側辺目地部材の凸設部の長手方向の端部面および連通目地部材の凸設部の側面が、建築用パネルの表面に対してともに略垂直に立ち上がって平坦面を形成しているため、当接面間に隙間ができることはなく、さらにすぐれた美観を表出できる。
【発明を実施するための最良の形態】
【００１７】
以下に、本発明の実施の形態について、添付図面とともに説明する。
【００１８】
図１〜図３は、本発明の建築用パネルの目地構造の一実施形態を説明するための図である。図３は、同目地構造を用いて形成された室内パネル（建築用パネルの集合体）の一例を示す概略斜視図であり、図１には図３におけるＷ部分の拡大斜視図を示しており、図２（ａ）には図３におけるＸ−Ｘ線矢視断面図を、図２（ｂ）には図３におけるＹ−Ｙ線矢視断面図を示している。
【００１９】
まず、建築用パネルの施工状態について図３を参照しながら説明する。
【００２０】
図３に示した室内パネル１は、室内の壁（下地材２）に形成した腰壁９の上方に複数の建築用パネル１０が格子状に配設され、隣接する建築用パネル１０、１０間には縦、横の目地部材２０、３０が装着されている。また、この室内パネル１の最外周には、外周部に配置された建築用パネル１０、１０・・・の端部を隠すとともに、建築用パネル１０を位置決め固定するための４つの見切り部材５０が配設されている。なお、見切り部材５０が直交する隅部にはコーナーキャップ５１が取り付けられている。
【００２１】
建築用パネル１０としては、種々のパネルが使用でき、例えば調湿パネル、吸音パネルなどの機能性パネルを使用してもよい。また、パネル面を天井に施工してもよく、また外装用に施工してもよい。室内パネル１を構成する複数の建築用パネル１０として、本例では正方形状の複数の同一寸法のパネルを使用しており、図３ではそれらを格子状に並べた室内パネル１を示している。このように建築用パネル１０格子状に並べるから、室内パネル１には、４枚の建築用パネルの隅部が隣接し合い、縦横の目地が交差する交差部３が表面に表われている。
【００２２】
本例で使用される、建築用パネル１０、１０間の目地部材は、水平方向のものとして複数の建築用パネル１０に沿って取り付けられる連通目地部材２０が使用され、垂直方向のものとして建築用パネル１０の一側辺（本例では縦辺）に対応させて、その一側辺と略同一の長さ寸法の側辺目地部材３０が使用されている。なお、連通目地部材２０、側辺目地部材３０は縦横を逆に配設してもよい。
【００２３】
これら連通目地部材２０、側辺目地部材３０はいずれも、図２に示すように、凸設部２１、３１と、その下方に延びた本体部２２、３２と、さらにその下方に延びた脚部２３、３３とより構成され、いずれの凸設部２１、３１も上面２０ａ、３０ａがアール状などの湾曲凸面に形成されている。また、連通目地部材２０および側辺目地部材３０を、下地材２（図３においては壁）に固着した目地受け部材４０に嵌合させて取り付けた状態では、いずれの凸設部２１、３１も、その全体が、施工された建築用パネル１０のパネル面よりも突出し露出されている。なお、目地受け部材４０は、連通目地部材２０、側辺目地部材３０のそれぞれに対応して設けるものであるため、固着する縦、横の方向および長さは異なるが、添付図面では説明の都合上、同一の符号を付している。
【００２４】
図３に示すように、横方向に隣接して配設される複数の建築用パネル１０、１０に沿って連通目地部材２０が配設されているため、この連通目地部材２０によって目地の交差部３が形成されている。そして、その交差部３では、図１に示すように、連通目地部材２０の幅方向の両側から、２つの側辺目地部材３０、３０が交差部３をはさんで突き合わさるように、側辺目地部材３０の凸設部３１の長手方向の端部面３１ｃが連通目地部材２０の凸設部２１の側面２１ｃに当接している。
【００２５】
側辺目地部材３０の連通目地部材２０の側面２１ｃに対する当接は、図１に示すように、側辺目地部材３０の凸設部３１の端部面３１ｃの全面を隠すものである。すなわち、図２に示すように、建築用パネル１０の表面から連通目地部材２０の凸設部２１の側面上端２１ｂまでの高さ寸法Ｌ１と、建築用パネル１０の表面から側辺目地部材３０の凸設部３１の頂部３１ｂまでの高さ寸法Ｌ２との関係は、Ｌ１≧Ｌ２となっている。
【００２６】
なお、本例では、連通目地部材２０、側辺目地部材３０のいずれの凸設部２１、３１にも、各目地部材２０、３０の幅方向両側に突出する庇部２１ａ、３１ａを備えており、それら庇部２１ａ、３１ａの下面が建築用パネルの表面に当接するように施工されるため、上記のＬ１、Ｌ２の関係を満たすためには、連通目地部材２０の凸設部２１の庇部２１ａの下面から凸設部２１の側面上端２１ｂまでの高さ寸法が、側辺目地部材３０の凸設部３１の庇部３１ａの下面から凸設部３１の頂部３１ｂまでの高さ寸法と等しいか、それよりも大きければよい。
【００２７】
このように、連通目地部材２０と側辺目地部材３０の各凸設部２１、３１の高さ寸法が上記のような関係であり、目地の交差部３では、突き合わさった２つの側辺目地部材３０、３０の端部面３１ｃ、３１ｃが隠される目地構造であるため、交差部３に突き合わせされた両側が従来の目地構造（図５（ａ）、（ｂ）を参照）のように先端が突き出ることはなく、交差部３では連通目地部材２０の上面２０ａの湾曲凸面が側辺目地部材３０にじゃまされることなく表面に表われ、丸みを帯びた外観を表現することができる。また、交差部３で段差による突出がないため衣服などが引っかかることもない。
【００２８】
また本実施形態では、図２に示すように、側辺目地部材３０の凸設部３１の長手方向の端部面３１ｃ、および連通目地部材２０の凸設部２１の側面２１ｃは、建築用パネル１０の表面に対して略垂直に立ち上がった平坦面に形成されているため、連通目地部材２０と側辺目地部材３０とは隙間なく当接し、そのため美感上の問題はなんらないし、ともに垂直面であるため、製造、加工も容易に行える。なお、それぞれの平坦面は垂直面でなくてもよく、相互に隙間なく当接し合うものであれば同様の美感効果は得られるため、相互に当接できる傾斜面であってもよい。
【００２９】
ついで、２種の目地部材（連通目地部材と側辺目地部材）による目地構造の詳細構成について、図２を参照しながら説明する。
【００３０】
連通目地部材２０および側辺目地部材３０はともに、アルミニウム等の金属の押出材よりなり、下地材に固着された合成樹脂の押出材よりなる目地受け部材４０に嵌合されて、建築用パネル１０、１０間の目地を形成する。なお、連通目地部材２０、側辺目地部材３０および目地受け部材４０の素材は上記に限られない。以下では、連通目地部材２０と側辺目地部材３０の説明において、目地受け部材４０や建築用パネル１０との関係で構造的に差異のない部分の説明については、共通的に「目地部材」と記述する。
【００３１】
連通目地部材２０は、その幅方向の両側に配設された建築用パネル１０側に突出する庇部２１ａ、２１ａを備えた凸設部２０と、建築用パネル１０、１０間に隙間なく装着される本体部２２と、その本体部２２の下端より下方に延び、上下２段の上部凸条片２３ａ、下部凸条片２３ｂが両側に形成された脚部２３とより構成される。側辺目地部材３０も同様に凸設部３１と本体部３２と脚部３３とより構成されるが、上述したように凸設部３１の高さ寸法が連通目地部材２０とは相違する。また、両目地部材２０、３０の脚部２３、３３の寸法、形状、上部凸条片２３ａ、３３ａ、下部凸条片２３ｂ、３３ｂの形状、突出寸法および上部凸条片２３ａ、３３ａと下部凸条片２３ｂ、３３ｂ間の間隔は、両目地部材２０、３０間で同一とされる。
【００３２】
目地受け部材４０は、連通目地部材２０、側辺目地部材３０の各脚部２３、３３が挿嵌される嵌合凹所４３を形成した一対の起立嵌合片４２、４２を有した本体部４１と、その本体部４１の下端より幅方向外方に延びる一対の取付基板部４４、４４とを備えている。この目地受け部材４０は、下地材２に対して接着されるとともに、幅寸法の大きい取付基板部４４（図２中、右側のもの）を下地材２にタッカー止めすることで固定されている。
【００３３】
目地受け部材４０の本体部４１を構成する一対の起立嵌合片４２、４２には、嵌合凹所４３を挟んで対向するように、それぞれに上下２段の上部挟持凸条片４２ａ、下部挟持凸条片４２ｂが形成されている。一対の起立嵌合片４２、４２は、上部挟持凸条片４２ａが目地部材２０、３０の脚部２３、３３に形成された上部凸条片２３ａ、３３ａに係合するとともに、脚部２３、３３の上部を挟持し、下部挟持凸条片４２ｂが目地部材２０、３０の脚部２３、３３の下部凸条片２３ｂ、３３ｂよりも下側部分を挟持するようにして、目地部材２０、３０を固定する機能を有している。
【００３４】
また、本体部４１を構成する一対の起立嵌合片４２、４２のそれぞれの外側には、目地部材２０、３０の脚部２３、３３を嵌合凹所４３に嵌め入れたときに、一対の起立嵌合片４２、４２が外側へ弾性的に撓むことを考慮して、逃げ部４５、４５が形成されている。そのため、建築用パネル１０を配設した後に目地部材２０、３０を目地受け部材４０に嵌合する場合でも、建築用パネル１０の端部１１がじゃまにならない。
【００３５】
建築用パネル１０は、その端部１１が、目地部材２０、３０の庇部２１ａ、３１ａと、目地受け部材４０の取付基板部４４との間に形成されるパネル端部収納空間４（図４（ａ）を参照）に収納されて、その端部１１の端部面１１ａが目地部材２０、３０の本体部２２、３２の側面、および目地受け部材４０の本体部４１（一対の起立嵌合片４２、４２）の下部の側面（起立嵌合片４２、４２の外側面）に当接して、建築用パネル１０の裏面が下地材２に接着されて配設されている。
【００３６】
このように、目地部材２０、３０を下地材２に固着した目地受け部材４０で嵌合させて目地を構成しているため、目地部材２０、３０の取付位置が定まり、取付作業が容易に行え、外観納まりもより良好となる。また、脚部２３、３３を目地受け部材４０、４０に嵌合させる構造であるため、強固に固定できる。
【００３７】
図４（ａ）〜（ｃ）は、建築用パネル１０の施工手順の一例を示す概略縦断面図である。なお本図では、建築用パネル１０と連通目地部材２０との関係を示しており、建築用パネル１０と側辺目地部材２０との関係については、図示を省略している。
【００３８】
まず、下地材２に固着させた目地受け部材４０の嵌合凹所４３に、連通目地部材２０の脚部２３の下部凸条片２３ｂまでを挿入させて、上部凸条片２３ａ、下部凸条片２３ｂ間に目地受け部材４０の起立嵌合片４２に形成した上部挟持凸条片４２ａが配置された状態に仮止めしておく。
【００３９】
ついで、建築用パネ１０の端部１１を、連通目地部材２０と目地受け部材４０とを仮止め嵌合して形成したパネル端部収納空間４に挿入し、建築用パネル１０の端部１１の端部面１１ａを連通目地部材２０および目地受け部材４０の側面に当接させる。
【００４０】
こうして目地の両側に建築用パネル１０、１０を収納させた後、連通目地部材２０の凸設部２１を押し下げると、連通目地部材２０の脚部２３の上部凸条片２３ａが目地受け部材４０の嵌合凹所４３に入り込んで、連通目地部材２０は目地受け部材４０に係合され、固定されるとともに、連通目地部材２０の庇部２１ａと目地受け部材４０の取付基板部４４とで建築用パネル１０の端部１１が挟持された状態となる。
【００４１】
以上に示した実施形態では、目地部材２０、３０の脚部２３、３３が上下２段の上部凸条片３３ａ、下部凸条片３３ｂを有した構造を示しているが、これには限定されず、１つの凸条片のみで係合するものでもよいし、凸条片を設けずに、目地受け部材４０の一対の起立嵌合片４２で挟持係合するものでもよい。また、その他の構造で係合するものであってもよい。
【００４２】
また、パネル間の目地を、目地受け部材４０を配さずに形成してもよい。すなわち、例えば目地部材の本体部２２、３３を建築用パネル１０、１０間に挟み込んで固定する構成としてもよく、また、建築用パネル１０、１０間に目地隙間を形成せずに、パネル１０、１０の端部面１１ａ、１１ａを相互に当接させて、その当接部の上のパネル面に目地部材を貼着するような構成としてもよい。前者の場合は、目地部材は脚部を備えなくてもよく、後者の場合は、目地部材は凸設部のみで構成すればよい。
【００４３】
なお、上記いずれの場合も、連通目地部材と側辺目地部材の各凸設部の高さ寸法の関係は、図２に示したように、Ｌ１≧Ｌ２の関係であることはいうまでもない。
【図面の簡単な説明】
【００４４】
【図１】図３のＷ部分の拡大斜視図である。
【図２】（ａ）は図３におけるＸ−Ｘ線矢視断面図、（ｂ）は図３におけるＹ−Ｙ線矢視断面図である。
【図３】本発明の実施形態に係る建築用パネルの目地構造を用いて施工された室内パネルの一例を示す概略斜視図である。
【図４】（ａ）〜（ｃ）は、建築用パネルの施工手順の一例を示す概略縦断面図である。
【図５】（ａ）は従来の建築用パネルの目地構造による目地の交差部を示す斜視図、（ｂ）は同交差部の拡大縦断面図である。
【符号の説明】
【００４５】
１      室内パネル
２      下地材
３      交差部
４      パネル端部収納空間
１０      建築用パネル
１１      端部
２０      連通目地部材
２０ａ      上面
２１      凸設部
２１ａ      庇部
２１ｂ      側面上端
２１ｃ      側面
２２      本体部
２３      脚部
２３ａ      上部凸条片
２３ｂ      下部凸条片
３０      側辺目地部材
３０ａ      上面
３１      凸設部
３１ａ      庇部
３１ｂ      頂部
３１ｃ      端部面
３２      本体部
３３      脚部
３３ａ      上部凸条片
３３ｂ      下部凸条片
４０      目地受け部材
４１      本体部
４２      起立嵌合片
４２ａ      上部挟持凸条片
４２ｂ      下部挟持凸条片
４３      嵌合凹所
４４      取付基板部
【図１】
2010121422.tif 000003
【図２】
2010121422.tif 000004
【図３】
2010121422.tif 000005
【図４】
2010121422.tif 000006
【図５】
2010121422.tif 000007